(57)【要約】【課題】食品などの商品の流通により発生する温室効果ガスの排出量を提示し、商品に関する商品情報を提供するシステムの消費者の利用意欲を高める。【解決手段】商品カルテ管理サーバが、商品を運搬する運搬移動体と単位移動距離あたりの温室効果ガスの排出量とが対応付けされた排出量特定表を記憶する排出量特定表ＤＢ２１を備え、通信ネットワーク５０を介して所定の商品の運搬に係る温室効果ガスの排出量の提供依頼を受け付け、提供依頼が受け付けられたことに応じて、排出量特定表と商品カルテに含まれている流通履歴とに基づいて、所定の商品の運搬に係る温室効果ガスの排出量を導出し、導出した排出量を通信ネットワーク５０を介して提供する。【選択図】図４
2010020592.tif 000002
【特許請求の範囲】
【請求項１】
食物や飲料物の商品に関する当該商品の流通履歴を含む商品情報が蓄積される商品カルテを管理する商品カルテ管理サーバであって、
商品を運搬する運搬移動体と単位移動距離あたりの温室効果ガスの排出量とが対応付けされた排出量特定表を記憶する排出量特定表記憶手段と、
通信ネットワークを介して所定の商品の運搬に係る温室効果ガスの排出量の提供依頼を受け付ける排出量提供依頼受付手段と、
該排出量提供依頼受付手段により温室効果ガスの排出量の提供依頼が受け付けられたことに応じて、前記排出量特定表と前記商品カルテに含まれている流通履歴とに基づいて、前記所定の商品の運搬に係る温室効果ガスの排出量を導出する排出量導出手段と、
該排出量導出手段によって導出された排出量を前記通信ネットワークを介して提供する排出量提供手段とを含む
ことを特徴とする商品カルテ管理サーバ。
【請求項２】
前記排出量導出手段は、流通履歴に含まれている前記所定の商品を運搬した運搬移動体に対応付けされている単位移動距離あたりの温室効果ガスの排出量と、流通履歴に含まれている前記所定の商品の運搬経路とに基づいて、当該所定の商品の運搬に係る温室効果ガスの排出量を導出する
請求項１記載の商品カルテ管理サーバ。
【請求項３】
前記所定の商品の原料の運搬に係る温室効果ガスの排出量を示す第１排出量が予め前記電子カルテに登録されており、
前記排出量導出手段は、商品メーカによって生産あるいは製造された前記所定の商品の運搬に係る温室効果ガスの排出量を示す第２排出量に前記第１排出量を加算した総排出量を前記所定の商品の運搬に係る温室効果ガスの排出量として導出する
請求項１または請求項２記載の商品カルテ管理サーバ。
【請求項４】
前記排出量導出手段は、
流通履歴に含まれている前記所定の商品の原料を運搬した運搬移動体に対応付けされている単位移動距離あたりの温室効果ガスの排出量と、流通履歴に含まれている前記所定の商品の原料の運搬経路とに基づいて、当該所定の商品の原料の運搬に係る温室効果ガスの排出量を示す第１排出量を導出し、
流通履歴に含まれている前記所定の商品を運搬した運搬移動体に対応付けされている単位移動距離あたりの温室効果ガスの排出量と、流通履歴に含まれている前記所定の商品の運搬経路とに基づいて、当該所定の商品の運搬に係る温室効果ガスの排出量を示す第２排出量を導出し、
前記第２排出量に前記第１排出量を加算した総排出量を前記所定の商品の運搬に係る温室効果ガスの排出量として導出する
請求項１または請求項２記載の商品カルテ管理サーバ。
【請求項５】
前記排出量提供依頼受付手段は、消費者が使用する消費者端末あるいは店舗に設置される店舗端末からの提供依頼を受け付け、
前記排出量提供手段は、前記排出量導出手段によって導出された排出量を前記消費者端末あるいは前記店舗端末に提供する
請求項１から請求項４のうちいずれかに記載の商品カルテ管理サーバ。
【請求項６】
前記排出量特定表記憶手段に記憶された前記排出量特定表の更新依頼を受け付けて、前記排出量特定表を更新する排出量特定表更新手段を含む
請求項１から請求項５のうちいずれかに記載の商品カルテ管理サーバ。
【請求項７】
温室効果ガスは、二酸化炭素、メタン、一酸化二窒素、代替フロンのうち少なくとも１つである
請求項１から請求項６のうちいずれかに記載の商品カルテ管理サーバ。
【請求項８】
前記排出量特定表には、商品を運搬する運搬移動体に、冷凍搬送、冷蔵搬送、常温搬送のそれぞれについての単位移動距離あたりの温室効果ガスの排出量が対応付けされており、
前記排出量導出手段は、前記排出量特定表と、運搬に用いられた運搬移動体と搬送時の温度管理種別と搬送経路とを含む流通履歴とに基づいて、前記所定の商品の運搬に係る温室効果ガスの排出量を導出する
請求項１から請求項７のうちいずれかに記載の商品カルテ管理サーバ。
【請求項９】
食物や飲料物の商品に関する当該商品の流通履歴を含む商品情報が蓄積される商品カルテを管理する商品カルテ管理サーバと、消費者が使用する端末装置とを含む商品カルテ管理システムであって、
前記商品カルテ管理サーバは、
商品を運搬する運搬移動体と単位移動距離あたりの温室効果ガスの排出量とが対応付けされた排出量特定表を記憶する排出量特定表記憶手段と、
前記端末装置からの所定の商品の運搬に係る温室効果ガスの排出量の提供依頼を通信ネットワークを介して受け付ける排出量提供依頼受付手段と、
該排出量提供依頼受付手段により温室効果ガスの排出量の提供依頼が受け付けられたことに応じて、前記排出量特定表と前記商品カルテに含まれている流通履歴とに基づいて、前記所定の商品の運搬に係る温室効果ガスの排出量を導出する排出量導出手段と、
該排出量導出手段によって導出された排出量を前記通信ネットワークを介して前記端末装置に提供する排出量提供手段とを含む
ことを特徴とする商品カルテ管理システム。
【請求項１０】
前記排出量導出手段は、流通履歴に含まれている前記所定の商品を運搬した運搬移動体に対応付けされている単位移動距離あたりの温室効果ガスの排出量と、流通履歴に含まれている前記所定の商品の運搬経路とに基づいて、当該所定の商品の運搬に係る温室効果ガスの排出量を導出する
請求項９記載の商品カルテ管理システム。
【請求項１１】
前記所定の商品の原料の運搬に係る温室効果ガスの排出量を示す第１排出量が予め前記電子カルテに登録されており、
前記排出量導出手段は、商品メーカによって生産あるいは製造された前記所定の商品の運搬に係る温室効果ガスの排出量を示す第２排出量に前記第１排出量を加算した総排出量を前記所定の商品の運搬に係る温室効果ガスの排出量として導出する
請求項９または請求項１０記載の商品カルテ管理システム。
【請求項１２】
前記排出量導出手段は、
流通履歴に含まれている前記所定の商品の原料を運搬した運搬移動体に対応付けされている単位移動距離あたりの温室効果ガスの排出量と、流通履歴に含まれている前記所定の商品の原料の運搬経路とに基づいて、当該所定の商品の原料の運搬に係る温室効果ガスの排出量を示す第１排出量を導出し、
流通履歴に含まれている前記所定の商品を運搬した運搬移動体に対応付けされている単位移動距離あたりの温室効果ガスの排出量と、流通履歴に含まれている前記所定の商品の運搬経路とに基づいて、当該所定の商品の運搬に係る温室効果ガスの排出量を示す第２排出量を導出し、
前記第２排出量に前記第１排出量を加算した総排出量を前記所定の商品の運搬に係る温室効果ガスの排出量として導出する
請求項９または請求項１０記載の商品カルテ管理システム。
【請求項１３】
前記排出量提供依頼受付手段は、消費者が使用する消費者端末あるいは店舗に設置される店舗端末からの提供依頼を受け付け、
前記排出量提供手段は、前記排出量導出手段によって導出された排出量を前記消費者端末あるいは前記店舗端末に提供する
請求項９から請求項１２のうちいずれかに記載の商品カルテ管理システム。
【請求項１４】
前記排出量特定表記憶手段に記憶された前記排出量特定表の更新依頼を受け付けて、前記排出量特定表を更新する排出量特定表更新手段を含む
請求項９から請求項１３のうちいずれかに記載の商品カルテ管理システム。
【請求項１５】
温室効果ガスは、二酸化炭素、メタン、一酸化二窒素、代替フロンのうち少なくとも１つである
請求項９から請求項１４のうちいずれかに記載の商品カルテ管理システム。
【請求項１６】
前記排出量特定表には、商品を運搬する運搬移動体に、冷凍搬送、冷蔵搬送、常温搬送のそれぞれについての単位移動距離あたりの温室効果ガスの排出量が対応付けされており、
前記排出量導出手段は、前記排出量特定表と、運搬に用いられた運搬移動体と搬送時の温度管理種別と搬送経路とを含む流通履歴とに基づいて、前記所定の商品の運搬に係る温室効果ガスの排出量を導出する
請求項９から請求項１７のうちいずれかに記載の商品カルテ管理システム。
【発明の詳細な説明】
【技術分野】
【０００１】
本発明は、食物や飲料物の商品に関する当該商品の流通履歴を含む商品情報が蓄積される商品カルテを管理する商品カルテ管理サーバと、及び当該サーバを含む商品カルテ管理システム関する。
【背景技術】
【０００２】
従来から、食品や飲料物などの商品についての生産履歴などの情報を消費者に提供するシステムが提案されている。特許文献１には、消費者からの商品に関する履歴等の問い合わせに対して、履歴情報を検索して消費者に提供する食品情報提供システムが開示されている。また、特許文献２には、生産者によって登録された食品情報を消費者に提供する商品情報開示システムが開示されている。
【０００３】
【特許文献１】特開２００２−２９７７００号公報
【特許文献１】特開２００２−３６６６２４号公報
【発明の開示】
【発明が解決しようとする課題】
【０００４】
しかしながら、上述した従来のシステムでは、商品に関連する商品関連情報を提供するものに過ぎず、消費者にとっての利用価値が限定的なものとなってしまっているという問題があった。商品関連情報を提供するシステムが多くの消費者に利用されるようになるために、単に商品関連情報を提供するだけでなく、消費者のシステム利用意欲を高めることができるような仕組みが望まれている。
【０００５】
一方、近年では、二酸化炭素などの温室効果ガスの排出量を削減することの必要性が大きな問題となってきており、商品の流通により発生する温室効果ガスの排出量が大きな関心事になっている。
【０００６】
本発明は、上述した問題を解消し、食品などの商品の流通により発生する温室効果ガスの排出量を提示することができ、商品に関する商品情報を提供するシステムの消費者の利用意欲を高めることができるようにすることを目的とする。
【課題を解決するための手段】
【０００７】
本発明の商品カルテ管理サーバは、食物や飲料物の商品に関する当該商品の流通履歴を含む商品情報が蓄積される商品カルテを管理する商品カルテ管理サーバであって、商品を運搬する運搬移動体と単位移動距離あたりの温室効果ガスの排出量とが対応付けされた排出量特定表を記憶する排出量特定表記憶手段と、通信ネットワークを介して所定の商品の運搬に係る温室効果ガスの排出量の提供依頼を受け付ける排出量提供依頼受付手段と、該排出量提供依頼受付手段により温室効果ガスの排出量の提供依頼が受け付けられたことに応じて、前記排出量特定表と前記商品カルテに含まれている流通履歴とに基づいて、前記所定の商品の運搬に係る温室効果ガスの排出量を導出する排出量導出手段と、該排出量導出手段によって導出された排出量を前記通信ネットワークを介して提供する排出量提供手段とを含むことを特徴とする。
【０００８】
上記のように構成したことで、食品などの商品の流通により発生する温室効果ガスの排出量を提示することができ、商品に関する商品情報を提供するシステムの消費者の利用意欲を高めることができるようになる。
【０００９】
前記排出量導出手段は、流通履歴に含まれている前記所定の商品を運搬した運搬移動体に対応付けされている単位移動距離あたりの温室効果ガスの排出量と、流通履歴に含まれている前記所定の商品の運搬経路とに基づいて、当該所定の商品の運搬に係る温室効果ガスの排出量を導出するように構成されていてもよい。
【００１０】
前記所定の商品の原料の運搬に係る温室効果ガスの排出量を示す第１排出量が予め前記電子カルテに登録されており、前記排出量導出手段は、商品メーカによって生産あるいは製造された前記所定の商品の運搬に係る温室効果ガスの排出量を示す第２排出量に前記第１排出量を加算した総排出量を前記所定の商品の運搬に係る温室効果ガスの排出量として導出するように構成されていてもよい。
【００１１】
前記排出量導出手段は、流通履歴に含まれている前記所定の商品の原料を運搬した運搬移動体に対応付けされている単位移動距離あたりの温室効果ガスの排出量と、流通履歴に含まれている前記所定の商品の原料の運搬経路とに基づいて、当該所定の商品の原料の運搬に係る温室効果ガスの排出量を示す第１排出量を導出し、流通履歴に含まれている前記所定の商品を運搬した運搬移動体に対応付けされている単位移動距離あたりの温室効果ガスの排出量と、流通履歴に含まれている前記所定の商品の運搬経路とに基づいて、当該所定の商品の運搬に係る温室効果ガスの排出量を示す第２排出量を導出し、前記第２排出量に前記第１排出量を加算した総排出量を前記所定の商品の運搬に係る温室効果ガスの排出量として導出するように構成されていてもよい。
【００１２】
前記排出量提供依頼受付手段は、消費者が使用する消費者端末あるいは店舗に設置される店舗端末からの提供依頼を受け付け、前記排出量提供手段は、前記排出量導出手段によって導出された排出量を前記消費者端末あるいは前記店舗端末に提供するように構成されていてもよい。
【００１３】
前記排出量特定表記憶手段に記憶された前記排出量特定表の更新依頼を受け付けて、前記排出量特定表を更新する排出量特定表更新手段を含むように構成されていてもよい。
【００１４】
温室効果ガスは、例えば、二酸化炭素、メタン、一酸化二窒素、代替フロンのうち少なくとも１つである。
【００１５】
前記排出量特定表には、商品を運搬する運搬移動体に、冷凍搬送、冷蔵搬送、常温搬送のそれぞれについての単位移動距離あたりの温室効果ガスの排出量が対応付けされており、前記排出量導出手段は、前記排出量特定表と、運搬に用いられた運搬移動体と搬送時の温度管理種別と搬送経路とを含む流通履歴とに基づいて、前記所定の商品の運搬に係る温室効果ガスの排出量を導出する構成とされていてもよい。
【００１６】
また、本発明の商品カルテ管理システムは、食物や飲料物の商品に関する当該商品の流通履歴を含む商品情報が蓄積される商品カルテを管理する商品カルテ管理サーバと、消費者が使用する端末装置とを含む商品カルテ管理システムであって、前記商品カルテ管理サーバは、商品を運搬する運搬移動体と単位移動距離あたりの温室効果ガスの排出量とが対応付けされた排出量特定表を記憶する排出量特定表記憶手段と、前記端末装置からの所定の商品の運搬に係る温室効果ガスの排出量の提供依頼を通信ネットワークを介して受け付ける排出量提供依頼受付手段と、該排出量提供依頼受付手段により温室効果ガスの排出量の提供依頼が受け付けられたことに応じて、前記排出量特定表と前記商品カルテに含まれている流通履歴とに基づいて、前記所定の商品の運搬に係る温室効果ガスの排出量を導出する排出量導出手段と、該排出量導出手段によって導出された排出量を前記通信ネットワークを介して前記端末装置に提供する排出量提供手段とを含むことを特徴とする。
【発明の効果】
【００１７】
本発明によれば、食品などの商品の流通により発生する温室効果ガスの排出量を提示することができ、商品に関する商品情報を提供するシステムの消費者の利用意欲を高めることができるようになる。
【発明を実施するための最良の形態】
【００１８】
以下、本発明の一実施の形態について図面を参照して説明する。
図１は、本発明の一実施の形態に係る商品カルテ管理システム１００の構成の例を示すブロック図である。図１に示すように、商品カルテ管理システム１００は、商品カルテ管理サーバ１０と、ＣＯ２排出量算出サーバ２０と、複数の店舗端末３１〜３Ｎ（Ｎ＝１，２、・・・）と、消費者端末４１〜４Ｎ（Ｎ＝１，２、・・・）とを含む。商品カルテ管理サーバ１０、ＣＯ２排出量算出サーバ２０、店舗端末３１〜３Ｎ、および消費者端末４１〜４Ｎは、それぞれ、例えばインターネットなどの通信ネットワーク５０に接続されている。
【００１９】
商品カルテ管理サーバ１０、およびＣＯ２排出量算出サーバ２０は、それぞれ、ＷＷＷサーバなどの情報処理装置によって構成される。店舗端末３１〜３Ｎは、それぞれ、各店舗によって管理される端末装置であり、パーソナルコンピュータや携帯通信端末などの情報処理装置によって構成される。消費者端末４１〜４Ｎは、それぞれ、消費者によって管理される端末装置であり、パーソナルコンピュータや携帯通信端末などの情報処理装置によって構成される。
【００２０】
商品カルテ管理サーバ１０、およびＣＯ２排出量算出サーバ２０は、それぞれ、例えば商品カルテ管理システム１００のシステム管理者によって管理されるサーバである。商品カルテ管理サーバ１０は、各商品毎に作成される商品カルテを管理する機能を有する。
【００２１】
商品カルテ管理サーバ１０は、商品カルテを示す商品カルテ情報が格納される商品カルテＤＢ１１を備えている。なお、商品カルテＤＢ１１は、商品カルテ管理サーバ１０の内部にあっても外部にあってもよい。
【００２２】
ＣＯ２排出量算出サーバ２０は、ＣＯ２排出量を特定する際に用いられる排出量特定表が格納される排出量特定表ＤＢ２１を備えている。なお、排出量特定表ＤＢ２１は、ＣＯ２排出量算出サーバ２０の内部にあっても外部にあってもよい。
【００２３】
図２は、商品カルテＤＢ１１に格納されている商品カルテ情報が示す商品カルテの例を示す説明図である。商品カルテには、商品カルテを一意に特定可能なカルテ番号と、該当する商品の名称である商品名と、該当する商品を一意に特定可能な商品コードと、該当する商品を生産・製造したメーカを一意に特定可能な商品メーカコードと、該当する商品の生産履歴（生産者、生産地、使用農薬など）と、該当する商品の流通履歴（原料の運搬経路及び運搬方法、該当商品の運搬経路及び運搬方法、運搬者、運搬日、運搬個数・運搬量など）と、該当する商品の原料の運搬によって発生したＣＯ２排出量を示す第１排出量とを含む各種の情報が登録されている。
【００２４】
ここで、図３を参照して第１排出量と第２排出量について説明する。図３は、原料や商品が運搬される流通経路の例を示す概念図である。流通経路としては、図３に示すように、各原料メーカＡ，Ｂ，Ｃから各種の原料が各商品メーカ工場Ａ，Ｂに運搬され、各商品メーカ工場Ａ，Ｂによって生産・製造された商品が物流センタに運搬され、物流センタに集められた商品が各店舗Ａ，Ｂ，Ｃに運搬されるものが一般的である。なお、物流センタは複数も受けられていてもよく、複数の物流センタ間で商品のやり取りが行われる場合があってもよい。
【００２５】
本例では、各種の原料が各原料メーカＡ，Ｂ，Ｃから各商品メーカ工場Ａ，Ｂに運搬されるまでに排出されるＣＯ２の排出量を「第１排出量」と呼び、各商品メーカ工場Ａ，Ｂによって生産・製造された商品が各商品メーカ工場Ａ，Ｂから物流センタを介して各店舗Ａ，Ｂ，Ｃに運搬されるまでに排出されるＣＯ２の排出量を「第２排出量」と呼ぶことにする。また、排出量は、各商品の特定の単位（例えば、１個、１０個、１ｋｇ、１箱など）毎の排出量であり、二酸化炭素自体の排出量であっても炭素換算した排出量であってもよい。
【００２６】
次に、本例の商品カルテ管理システム１００の動作について説明する。
図４は、本例の商品カルテ管理システム１００におけるＣＯ２排出量提示処理の例を示すフローチャートである。ここでは、店舗Ａに来店した消費者Ｘによる店舗端末３１の操作に基づく依頼に応じて商品Ｙが店頭に置かれるまでに発生されるＣＯ２排出量を算出して提示する場合を例に説明する。
【００２７】
ＣＯ２排出量提示処理において、先ず、店舗端末３１は、消費者Ｘの操作に応じて、商品カルテ管理サーバ１０にアクセスし、排出量の算出対象の商品Ｙを特定可能な商品識別情報（例えば商品コード）を提示して、ＣＯ２排出量提示要求を行う（ステップＳ１０１）。なお、ステップＳ１０１において、排出量とは別の商品情報の提供を合わせて要求するようにしてもよい。
【００２８】
ステップＳ１０１では、例えば、店舗端末３１が、自己が備える表示装置に例えば図５に示すようなＣＯ２排出量確認依頼画面を表示し、ＣＯ２排出量確認依頼画面における商品コード入力領域１０１への商品Ｙの商品コードの入力を受け付けたあと、ＣＯ２排出量確認依頼画面における依頼ボタン１０２が押下されたことに応じて、商品カルテ管理サーバ１０に対して商品Ｙの商品コードを提示して、商品ＹについてのＣＯ２排出量の提示を要求するようにすればよい。
【００２９】
商品ＹについてのＣＯ２排出量の提示要求を受けると、商品カルテ管理サーバ１０は、商品Ｙの商品コードから商品カルテを参照し、商品Ｙの流通履歴を読み出して、商品Ｙの商品メーカ工場から店舗までの運搬経路及び運搬態様を特定し、ＣＯ２排出量算出サーバ２０に対して商品Ｙについての運搬経路及び運搬態様を提示した第２排出量の算出要求を行う（ステップＳ１０２）。
【００３０】
本例では、運搬態様は、商品Ｙを運搬した運搬移動体（トラック、航空機、船など）と、運搬時の管理温度（冷凍、冷蔵、常温）と、運搬量（個数、重量、箱数など）とによって特定されるものとする。
【００３１】
第２排出量の算出要求を受けると、ＣＯ２排出量算出サーバ２０は、商品カルテ管理サーバ１０から通知された流通履歴（運搬経路及び運搬態様）と、排出量特定表ＤＢ２１に格納されている排出量特定表とに基づいて第２排出量を算出する（ステップＳ１０３）。
【００３２】
ここで、図６を参照して排出量特定表の例について説明する。排出量特定表は、例えば図６に示すように、各運搬移動体に、冷凍管理で所定距離運搬する際のＣＯ２排出量と、冷蔵管理で所定距離運搬する際のＣＯ２排出量と、常温管理で所定距離運搬する際のＣＯ２排出量とが対応付けされた表である。この排出量特定表は、予めシステム管理者によって作成されて排出量特定表ＤＢ２１に登録される。なお、運搬移動体の規格や能力に変更が生じた際には、システム管理者によって排出量特定表における該当情報が更新される。
【００３３】
ステップＳ１０３では、ＣＯ２排出量算出サーバ２０は、先ず、流通履歴に含まれている運搬経路から運搬距離を算出する。次いで、ＣＯ２排出量算出サーバ２０は、排出量特定表を参照し、流通履歴に含まれている運搬移動体と管理温度とから単位距離あたりのＣＯ２排出量を特定する。例えば、運搬移動体がトラックＡであり、管理温度が冷凍である場合には、排出量特定表を参照してＣＯ２排出量が○○ｋｇ／ｋｍであると特定される。そして、ＣＯ２排出量算出サーバ２０は、算出した運搬距離と、特定した単位距離あたりのＣＯ２排出量とを用いて商品Ｙ群の第２排出量を算出し、商品Ｙの運搬量を考慮して単位量あたりの第２排出量を算出する。具体的には、算出した運搬距離と単位距離あたりのＣＯ２排出量との積を求めて商品Ｙ群の第２排出量を算出し、商品Ｙ群の第２排出量を商品Ｙの運搬量で割って単位量あたり（１個あたり、１箱あたりなど）の第２排出量を算出する。
【００３４】
次に、ＣＯ２排出量算出サーバ２０は、ステップＳ１０３にて算出した単位量あたりの第２排出量を通信ネットワーク５０を介して商品カルテ管理サーバ１０に通知する（ステップＳ１０４）。
【００３５】
商品Ｙの単位量あたりの第２排出量の通知を受けると、商品カルテ管理サーバ１０は、商品Ｙの商品コードから商品カルテを参照し、商品Ｙの第１排出量を読み出して、読み出した第１排出量とＣＯ２排出量算出サーバ２０からの第２排出量とを加算して、商品Ｙの単位量あたりのＣＯ２排出量である総排出量を算出する（ステップＳ１０５）。そして、商品カルテ管理サーバ１０は、算出した総排出量を通信ネットワーク５０を介して店舗端末３１に送信する（ステップＳ１０６）。
【００３６】
店舗端末３１は、商品カルテ管理サーバ１０から受信した総排出量の表示領域を含むＣＯ２排出量確認画面を自己が備える表示装置に表示する（ステップＳ１０７）。ＣＯ２排出量確認画面には、例えば図７に示すように、確認対象の商品Ｙの商品名と商品コードが表示される表示領域１０３と、単位量あたりのＣＯ２排出量である総排出量が表示される表示領域１０４と、画面を閉じる際に押下される閉じるボタン１０５とが設けられている。
【００３７】
店舗端末３１は、ＣＯ２排出量確認画面を表示することによって、商品Ｙの単位量あたりのＣＯ２排出量である総排出量を消費者Ｘに報知する。なお、総排出量を表示する際に、該当商品である商品Ｙの生産履歴などを商品カルテ管理サーバ１０から取得して表示するようにしてもよい。
【００３８】
なお、上記の例では、温室効果ガスとして二酸化炭素を例に説明していたが、メタン、一酸化二窒素、代替フロンなどの他の温室効果ガスであってもよい。また、複数種類の温室効果ガスの排出量を導出するようにしてもよい。
【００３９】
また、上記の例では、商品カルテ管理サーバ１０とＣＯ２排出量算出サーバ２０とを別個に設ける構成としていたが、商品カルテ管理サーバ１０にＣＯ２排出量算出サーバ２０の機能を備えることとし、１つのサーバ装置とするようにしてもよい。
【００４０】
さらに、上記の例では、商品の流通履歴や排出量特定表に基づいて第２排出量を算出し、商品カルテに登録されている第１排出量を加算して総排出量を導出する構成としていたが、商品の原料の流通履歴や排出量特定表に基づいて第１排出量を算出し、別途算出した第２排出量と合算して総排出量を導出するようにしてもよい。
【００４１】
また、上記の例では、商品の流通履歴や排出量特定表に基づいて第２排出量を算出し、商品カルテに登録されている第１排出量を加算して総排出量を導出して提示する構成としていたが、算出した第２排出量のみを商品の排出量として提示するようにしてもよい。この場合、商品が生産・製造されたあとの運搬に係る温室効果ガスの排出量が提示されることになるが、その情報だけでも十分有効であるものと考えられる。
【００４２】
以上に説明したように、食物や飲料物の商品に関する当該商品の流通履歴を含む商品情報が蓄積される商品カルテを管理する商品カルテ管理サーバ（商品カルテ管理サーバ１０、ＣＯ２排出量算出サーバ２０）が、商品を運搬する運搬移動体と単位移動距離あたりの温室効果ガスの排出量とが対応付けされた排出量特定表を記憶する排出量特定表ＤＢ２１を備え、通信ネットワーク５０を介して所定の商品の運搬に係る温室効果ガスの排出量の提供依頼を受け付け、提供依頼が受け付けられたことに応じて、排出量特定表と商品カルテに含まれている流通履歴とに基づいて、所定の商品の運搬に係る温室効果ガスの排出量を導出し、導出した排出量を通信ネットワーク５０を介して提供する構成としたので、食品などの商品の流通により発生する温室効果ガスの排出量を提示することができ、商品に関する商品情報を提供するシステムの消費者の利用意欲を高めることができるようになる。
【００４３】
すなわち、温室効果ガスの排出量の提供依頼に応じて、所定の商品の運搬に係る温室効果ガスの排出量を導出し、例えば消費者等に対して、導出した排出量を通信ネットワーク５０を介して提供することが可能となるため、商品が店舗に配送されてくるまでの温室効果ガスの排出量を消費者等に提示することができ、商品選択の際の新たな参考情報を消費者等に提示することが可能となるのである。よって、商品に関する商品情報を提供するシステムの消費者の利用意欲を高めることができるようになる。
【００４４】
また、上述した実施の形態では、商品カルテ管理サーバ（商品カルテ管理サーバ１０、ＣＯ２排出量算出サーバ２０）が、流通履歴に含まれている所定の商品を運搬した運搬移動体に対応付けされている単位移動距離あたりの温室効果ガスの排出量と、流通履歴に含まれている所定の商品の運搬経路とに基づいて、その所定の商品の運搬に係る温室効果ガスの排出量を導出する構成としているので、簡単な処理によって正確に温室効果ガスの排出量を導出することができるようになる。一般には、出発点から到達点までの直線距離によって排出量が導出されるが、原料や商品が運搬される毎に商品カルテに蓄積される流通履歴を利用することで、簡単な処理によって正確に温室効果ガスの排出量を導出することができるようになる。
【００４５】
また、上述した実施の形態において、所定の商品の原料の運搬に係る温室効果ガスの排出量を示す第１排出量が予め電子カルテに登録されており、商品カルテ管理サーバ（商品カルテ管理サーバ１０、ＣＯ２排出量算出サーバ２０）が、商品メーカによって生産あるいは製造された所定の商品の運搬に係る温室効果ガスの排出量を示す第２排出量に第１排出量を加算した総排出量を所定の商品の運搬に係る温室効果ガスの排出量として導出する構成とした場合には、第２排出量のみを演算処理により算出するだけでよく、第１排出量を算出する必要がないので、処理負荷を軽減することが可能となる。
【００４６】
また、上述した実施の形態において、商品カルテ管理サーバ（商品カルテ管理サーバ１０、ＣＯ２排出量算出サーバ２０）が、流通履歴に含まれている所定の商品の原料を運搬した運搬移動体に対応付けされている単位移動距離あたりの温室効果ガスの排出量と、流通履歴に含まれている所定の商品の原料の運搬経路とに基づいて、その所定の商品の原料の運搬に係る温室効果ガスの排出量を示す第１排出量を導出し、流通履歴に含まれている所定の商品を運搬した運搬移動体に対応付けされている単位移動距離あたりの温室効果ガスの排出量と、流通履歴に含まれている所定の商品の運搬経路とに基づいて、当該所定の商品の運搬に係る温室効果ガスの排出量を示す第２排出量を導出し、第２排出量に第１排出量を加算した総排出量を所定の商品の運搬に係る温室効果ガスの排出量として導出する構成とした場合には、原料や商品が運搬される毎に商品カルテに蓄積される流通履歴を用いて導出するので、実際の運搬状況に基づく温室効果ガスの排出量を正確に導出することができるようになる。
【００４７】
また、上述した実施の形態では、商品カルテ管理サーバ（商品カルテ管理サーバ１０、ＣＯ２排出量算出サーバ２０）が、消費者が使用する消費者端末４１〜４Ｎあるいは店舗に設置される店舗端末３１〜３Ｎからの提供依頼を受け付け、導出した排出量を消費者端末４１〜４Ｎあるいは店舗端末３１〜３Ｎに提供する構成としているので、消費者端末４１〜４Ｎや店舗端末３１〜３Ｎを使用する消費者等に対して温室効果ガスの排出量を提示することが可能となる。
【００４８】
また、上述した実施の形態では、商品カルテ管理サーバ（商品カルテ管理サーバ１０、ＣＯ２排出量算出サーバ２０）が、各運搬移動体における冷凍搬送、冷蔵搬送、常温搬送のそれぞれについて排出量を登録した排出量特定表と、流通履歴として蓄積されている運搬に用いられた運搬移動体と搬送時の温度管理種別（冷凍搬送、冷蔵搬送、常温搬送の別）と搬送経路とに基づいて、所定の商品の運搬に係る温室効果ガスの排出量を導出する構成としているので、温度管理種別を加味された正確な温室効果ガスの排出量を導出することが可能となる。
【００４９】
なお、上述した実施の形態では言及していないが、商品カルテ管理サーバ（商品カルテ管理サーバ１０、ＣＯ２排出量算出サーバ２０）が、排出量特定表ＤＢ２１に記憶された排出量特定表の更新依頼を受け付けて、排出量特定表を更新する処理を行うようにしてもよい。このように構成すれば、新たなが採用されたときや、運搬移動体の燃費などの能力が向上した際などに、排出量特定表を迅速に更新することが可能となる。
【００５０】
なお、上述した実施の形態では特に言及していないが、上述した各処理は、商品カルテ管理サーバ（商品カルテ管理サーバ１０、ＣＯ２排出量算出サーバ２０）などの処理主体が、自己が備える記憶媒体に記憶されているコンピュータプログラムに従って実行されているものである。
【産業上の利用可能性】
【００５１】
本発明によれば、食品などの商品の流通により発生する温室効果ガスの排出量を提示し、商品に関する商品情報を提供するシステムの消費者の利用意欲を高めるのに有用である。
【図面の簡単な説明】
【００５２】
【図１】本発明の一実施の形態に係る商品カルテ管理システムの構成の例を示すブロック図である。
【図２】商品カルテの例を示す説明図である。
【図３】商品の搬送経路の例を示す概念図である。
【図４】ＣＯ２排出量提示処理の例を示すフローチャートである。
【図５】ＣＯ２排出量確認依頼画面の例を示す説明図である。
【図６】排出量特定表の例を示す説明図である。
【図７】ＣＯ２排出量確認画面の例を示す説明図である。
【符号の説明】
【００５３】
１０            商品カルテ管理サーバ
１１            商品カルテＤＢ
２０            ＣＯ２排出量算出サーバ
２１            排出量特定表ＤＢ
３１〜３Ｎ      店舗端末
４１〜４Ｎ      消費者端末
５０            通信ネットワーク
１００          商品カルテ管理システム
【図１】
2010020592.tif 000003
【図２】
2010020592.tif 000004
【図３】
2010020592.tif 000005
【図４】
2010020592.tif 000006
【図５】
2010020592.tif 000007
【図６】
2010020592.tif 000008
【図７】
2010020592.tif 000009